(57)【要約】【課題】設置場所の変更を有効に制限する。【解決手段】移動端末と基地局装置との間で無線信号を中継する中継装置であって、前記中継装置の動作を制御する制御部と、前記制御部が使用するデータを格納する不揮発性記憶部と、前記移動端末と通信する第１の無線部と、前記基地局装置と通信する第２の無線部と、前記移動端末から位置情報を取得する第３の無線部と、を備え、前記制御部は、前記取得した位置情報と前記不揮発性記憶部に格納された位置情報とを比較し、両位置情報の差が所定の閾値を超える場合、前記第１の無線部及び前記第２の無線部による通信を停止する。【選択図】図３
2014187595.tif 000002
【特許請求の範囲】
【請求項１】
移動端末と基地局装置との間で無線信号を中継する中継装置であって、
前記中継装置の動作を制御する制御部と、
前記制御部が使用するデータを格納する不揮発性記憶部と、
前記移動端末と通信する第１の無線部と、
前記基地局装置と通信する第２の無線部と、
前記移動端末から位置情報を取得する第３の無線部と、を備え、
前記制御部は、
前記取得した位置情報と前記不揮発性記憶部に格納された位置情報とを比較し、
両位置情報の差が所定の閾値を超える場合、前記第１の無線部及び前記第２の無線部による通信を停止することを特徴とする中継装置。
【請求項２】
請求項１に記載の中継装置であって、
前記中継装置は、前記移動端末に位置情報要求を送信し、
前記移動端末は、前記位置情報要求を受信した場合、前記中継装置に位置情報を送信することを特徴とする中継装置。
【請求項３】
請求項２に記載の中継装置であって、
前記制御部は、前記中継装置の電源が投入された際に実行される初期動作において、前記移動端末に位置情報要求を送信することを特徴とする中継装置。
【請求項４】
請求項２に記載の中継装置であって、
前記制御部は、前記基地局装置が提供するエリアを識別する情報の変更を検出した場合、前記移動端末に位置情報要求を送信することを特徴とする中継装置。
【請求項５】
請求項１から４のいずれか一つに記載の中継装置であって、
前記制御部は、前記取得した位置情報と前記不揮発性記憶部に格納された位置情報とが一致していない場合、前記中継装置の状態を前記移動端末に報知することを特徴とする中継装置。
【請求項６】
請求項１から４のいずれか一つに記載の中継装置であって、
前記第３の無線部は、近距離無線を用いて前記移動端末と通信することを特徴とする中継装置。
【請求項７】
請求項１から４のいずれか一つに記載の中継装置であって、
前記制御部は、前記移動端末から取得した位置情報を、前記基地局装置を経由して、所定のサーバに送信することを特徴とする中継装置。
【請求項８】
移動端末と通信する基地局装置と、
前記移動端末と前記基地局装置との間で無線信号を中継する中継装置と、
前記中継装置から情報を収集するサーバとを備える無線通信システムであって、
前記中継装置は、前記中継装置の動作を制御する制御部と、前記制御部が使用するデータを格納する不揮発性記憶部と、前記移動端末と通信する第１の無線部と、前記基地局装置と通信する第２の無線部と、前記移動端末から位置情報を取得する第３の無線部と、を有し、
前記中継装置は、
前記移動端末から取得した位置情報を、前記基地局装置を経由して、前記サーバに送信し、
前記取得した位置情報と前記不揮発性記憶部に格納された位置情報とを比較し、
両位置情報の差が所定の閾値を超える場合、前記第１の無線部及び前記第２の無線部による通信を停止することを特徴とする無線通信システム。
【発明の詳細な説明】
【技術分野】
【０００１】
本発明は、無線中継装置に関する。
【背景技術】
【０００２】
携帯電話システムの基地局は遠隔通信監視システムで監視及び制御されているが、近年、遠隔通信監視システムで監視及び制御されないスタンドアロンかつ低コストの無線中継装置が設置されている。
【０００３】
このようなスタンドアロンの無線中継装置は、小型軽量であるため、ユーザが無線中継装置を移動し、その設置場所を変えることができる。しかし、ユーザが無線中継装置を許可なく移動すると、許可された以外の電波を中継する可能性がある。このため、無線中継装置は、基地局装置が送信したダウンリンクに含まれる領域識別情報を受信し、予め定められた領域識別情報の信号のみを中継する。無線中継装置が、予め定められた領域識別情報の信号のみを中継することによって、不要波の発射を防ぐことができる。このため、遠隔通信監視システムによる監視及び制御を不要とし、通信事業者による管理性を向上させている。
【先行技術文献】
【特許文献】
【０００４】
【特許文献１】特開２００８−３０１０８６号公報
【特許文献２】特開２００８−１６０３４６号公報
【発明の概要】
【発明が解決しようとする課題】
【０００５】
前述した従来の無線中継装置では、予め定められた領域識別情報の信号のみを中継するので、以下の問題点がある。
【０００６】
第一の問題点は、無線中継装置を設置した後に基地局の配置が変更又は追加されたり、領域識別情報が拡張された場合に、基地局装置が送信するダウンリンクに含まれる領域識別情報が変更されるので、無線中継装置は、設置場所が変わったと判断し、その動作を止めてしまう。
【０００７】
第二の問題点は、広いエリアで同じ領域識別情報を使用すると、同じ領域識別情報を使用するエリア内では、無線中継装置の移動を検知できず、ユーザが設置場所を変えることができ、設置場所の変更を制限することができない。
【０００８】
第三の問題点は、無線中継装置が動作を停止した場合、無線中継装置に設けられた表示装置（ＬＥＤ、ＬＣＤなど）でユーザに報知する必要がある。
【０００９】
このため、予め定めた領域識別情報のみによって中継機能のオン・オフを制御せずに、ユーザによる設置場所の変更を有効に制限できる無線中継装置が求められている。また、動作状態を簡単に報知できる無線中継装置が求められている。
【課題を解決するための手段】
【００１０】
本願において開示される発明の代表的な一例を示せば以下の通りである。すなわち、移動端末と基地局装置との間で無線信号を中継する中継装置であって、前記中継装置の動作を制御する制御部と、前記制御部が使用するデータを格納する不揮発性記憶部と、前記移動端末と通信する第１の無線部と、前記基地局装置と通信する第２の無線部と、前記移動端末から位置情報を取得する第３の無線部と、を備え、前記制御部は、前記取得した位置情報と前記不揮発性記憶部に格納された位置情報とを比較し、両位置情報の差が所定の閾値を超える場合、前記第１の無線部及び前記第２の無線部による通信を停止する。
【発明の効果】
【００１１】
本発明の代表的な実施の形態によれば、ユーザによる無線中継装置の無許可の設置個所移動を防ぐことが可能となり、無線事業者の管理パフォーマンスの向上が期待できる。前述した以外の課題、構成及び効果は、以下の実施例の説明により明らかにされる。
【図面の簡単な説明】
【００１２】
【図１Ａ】本実施例の無線中継装置の構成を示すブロック図である。
【図１Ｂ】本実施例の携帯端末の構成を示すブロック図である。
【図２】本実施例の無線中継装置が中継機能を制御する方法を説明する図である。
【図３】本実施例の携帯端末と無線中継装置との間の位置情報の送受信を示すシーケンス図である。
【図４】本実施例の無線中継装置の制御部によって実行される処理のフローチャートである。
【図５】本実施例の無線中継装置が携帯端末に送信するアラームの例を説明する図である。
【発明を実施するための形態】
【００１３】
まず、本発明の実施例の概要について説明する。
【００１４】
本発明の実施例では、基地局の配置の変更や追加があっても信号の中継を止めることなく、無線中継装置の設置場所が実際に変わったかを検知するために、無線中継装置が在圏するエリアを示す領域識別情報を用いず、携帯端末の位置情報を取得することによって設置場所の変更を判定する。そして、携帯端末から取得した位置情報が同じである場合は、領域識別情報が変更されても、無線中継装置は移動していないと判定し、信号の中継を止めることなく動作する。一方、携帯端末から取得した位置情報が従前と異なる場合は、無線中継装置が移動したと判定し、信号の中継を止める。
【００１５】
携帯端末から位置情報を取得する方法として、例えば、近距離通信で使われているＢｌｕｅｔｏｏｔｈ（Ｂｌｕｅｔｏｏｔｈは登録商標、以下同じ）やＮＦＣを用いることができる。なお、無線中継装置と携帯端末との間の通信は、前述したものに限らず、携帯電話システムと異なるシステムであればよい。
【００１６】
無線中継装置の設置時に電源をＯＮにすると、その初期動作において、無線中継装置は基地局からのダウンリンクに含まれる領域識別情報を取得した後、近距離通信を用いて携帯端末から現在の位置情報を取得し、取得した位置情報をメモリに格納する。その後、無線中継装置は、移動端末と基地局との間の通信を中継する。無線中継装置にトリガー発生したとき、例えば無線中継装置の電源ＯＮ時に、再度初期動作が実行され、領域識別情報及び位置情報を用いた無線中継装置の動作を制御する。また、領域識別情報が変更された場合、携帯電話の位置情報を再度取得してメモリに格納された位置情報と比較する。
【００１７】
電源がＯＮになった場合又は領域識別情報の変更が検知された場合、設置箇所の移動が発生したかを以下の方法で判定する。無線中継装置は、メモリに格納した位置情報と、電源ＯＮ直後に携帯端末から取得した位置情報とを比較し、位置情報が異なる場合は、エリアを提供する基地局が変わったこと、つまり無線中継装置が移動したと判定して、近距離通信にて携帯端末にアラームを送信した後に電波の送信を停止する。ユーザは近距離通信で受信した無線中継装置から送信された情報を確認して、無線中継装置を運営する通信事業者にメインテナンスを依頼する。これによって、通信事業者は無線中継装置を管理することができる。
【００１８】
次に、本発明の実施例について詳細に説明する。
【００１９】
本発明の実施例の無線中継装置１１は、Ｗ−ＣＤＭＡ及びＣＤＭＡ方式の無線通信システムにおいて、基地局（ＢＳ）と携帯端末（ＭＳ）１２との間で無線信号を中継する装置ある。また、本実施例の無線中継装置１１は、遠隔通信監視システムで制御されないスタンドアロン型装置であって、既に実用化されている近距離無線通信を用いて、ＧＰＳシステムによる位置情報を携帯端末から取得し、無線中継装置１１を制御する。
【００２０】
なお、無線中継装置１１が対象とする携帯電話システムは、例えば、Ｗ−ＣＤＭＡ方式、ＣＤＭＡ方式を採用するが、例えばＬＴＥなどの他の方式でもよい。また、無線中継装置１１が対象とする近距離無線通信は、例えば、Ｂｌｕｅｔｏｏｔｈ、ＮＦＣであるが、他の方式でもよい。
【００２１】
図１Ａは、本実施例の無線中継装置１１の構成を示すブロック図である。
【００２２】
無線中継装置１１は、基地局向け無線部１１１、アンテナ１１２、装置監視部１１３、記憶部１１４、制御部１１５、近距離通信用無線部１１６、アンテナ１１７、端末向け無線部１１８及びアンテナ１１９を有する。
【００２３】
基地局向け無線部１１１は、アンテナ１１２を経由して基地局と送受信する無線信号を変調及び復調する。アンテナ１１２は、基地局から受信した信号を基地局向け無線部１１１に送り、基地局向け無線部１１１が生成した基地局向けの無線信号を空間に輻射する。
【００２４】
装置監視部１１３は、無線中継装置１１の全体の状態を監視し、異常を検出した場合は異常アラーム情報を制御部１１５に送信する。記憶部１１４は、例えば不揮発性のメモリであって、無線中継装置１１の動作に必要なデータ（例えば、位置情報、アラーム履歴及び領域識別情報）を保持する。
【００２５】
制御部１１５は、例えば所定のプログラムを実行するプロセッサであって、無線中継装置１１の全体を制御し、記憶部１１４のデータの読み書きを制御する。また、制御部１１５は、装置監視部１１３からのアラーム情報を受け付ける。また、制御部１１５は、近距離通信用無線部１１６、基地局向け無線部１１１及び端末向け無線部１１８による無線信号の送受信を制御する。
【００２６】
近距離通信用無線部１１６は、近距離通信によって無線通信をするための無線送受信機である。近距離通信用無線部１１６は、アンテナ１１７を経由して送受信する近距離通信の無線信号を変調及び復調し、アンテナ１１７を経由して携帯端末１２から位置情報を取得し、取得した位置情報を制御部１１５に送信し、制御部１１５からのアラーム情報を端末に向けて無線で送信する。アンテナ１１７は、近距離無線通信によって携帯端末１２から受信した信号を近距離無線通信用無線部１１６に送り、近距離無線通信用無線部１１６が生成した端末向けの無線信号を空間に輻射する。
【００２７】
端末向け無線部１１８は、アンテナ１１９を経由して携帯端末１２と送受信する無線信号を変調及び復調する。アンテナ１１９は、端末から受信した信号を端末向け無線部１１８に送り、端末向け無線部１１８が生成した端末向けの無線信号を空間に輻射する。
【００２８】
図１Ｂは、本実施例の携帯端末１２の構成を示すブロック図である。
【００２９】
携帯端末１２は、無線中継装置１１と無線通信をし、又は、基地局と直接無線通信をする無線通信装置である。携帯端末１２は、ＧＰＳ受信部１２１、基地局向け無線通信部１２２、アンテナ１２３、記憶部１２４、操作部１２５、制御部１２６、表示部１２７、近距離通信用無線部１２８及びアンテナ１２９を有する。
【００３０】
ＧＰＳ受信部１２１は、ＧＰＳ信号を受信して制御部１２６に送る。記憶部１２４は、ＧＰＳ受信部１２１から取得した位置情報を保持する。基地局向け無線通信部１２２は、アンテナ１２３を経由して送受信する無線信号を変調及び復調する。アンテナ１２３は、受信した信号をＧＰＳ受信部１２１又は基地局向け無線部１２２に送り、基地局向け無線部１２２が生成した基地局向けの無線信号を空間に輻射する。
【００３１】
記憶部１２４、例えば不揮発性のメモリであって、携帯端末１２の動作に必要なデータを保持する。操作部１２５は、例えばタッチパネル、キーボードであって、ユーザからの入力を受け付ける。
【００３２】
制御部１２６は、例えば所定のプログラムを実行するプロセッサであって、携帯端末１２の全体を制御し、記憶部１２４のデータの読み書きを制御する。また、制御部１２６は、記憶部１２４に保持された位置情報と近距離通信用無線部１２８が受信した携帯端末１２の現在位置の情報とを比較する。また、制御部１２６は、操作部１２５からの入力を受け付け、表示部１２７に必要な情報を出力し、基地局向け無線通信部１２２に指示をする。
【００３３】
表示部１２７は、例えば液晶表示パネルであって、ユーザに情報を表示する。
【００３４】
近距離通信用無線部１２８は、近距離通信によって無線通信をするための無線送受信機である。近距離通信用無線部１２８は、アンテナ１２９を経由して送受信する近距離通信の無線信号を変調及び復調し、制御部１２６から受け取った位置情報を無線中継装置１１に送信し、無線中継装置１１から受け取ったアラーム情報を制御部１２６に送る。アンテナ１２９は、近距離無線通信によって端末から受信した信号を近距離無線通信用無線部１２８に送り、近距離無線通信用無線部１２８が生成した端末向けの無線信号を空間に輻射する。
【００３５】
図２は、本実施例の無線中継装置１１が保持する領域識別情報及び位置情報を利用して中継機能を制御する方法の概要を説明する図である。
【００３６】
領域識別情報は、基地局から送信されるダウンリンク（例えば、ＣＤＭＡでは、ＳＹＮＣチャネルや、パイロットチャネル）に含まれている。
【００３７】
図２（Ａ）は、無線中継装置１１が通常の中継サービスを行っている状態を示す。携帯端末１２は、ＧＰＳ衛星１３からＧＰＳ信号を受信して、無線中継装置１１に位置情報メッセージを送信する。無線中継装置１１は、記憶部１１４に保存している領域識別情報２１２及び位置情報２１３を、現在受信している領域識別情報及び位置情報と比較することによって、無線環境の変化と設置場所の変更を確認する。
【００３８】
図２（Ｂ）は、設置場所が変更されることなく、無線環境が変化した場合の無線中継装置１１の動作を示す。領域識別情報２１２及び位置情報２１３を監視していた無線中継装置１１は、無線環境が変化し、領域識別情報２２２が変更されたことを検出する。具体的には、領域識別情報の中に含まれているＦＡ（チャネル割当情報）、ＳＩＤ（システムＩＤ）、ＮＩＤ（ネットワークＩＤ）及び通信方式（１ｘ、ＤＯ）の情報が、記憶部１１４に保持していた情報と異なる場合、無線環境が変化したと判定できる。
【００３９】
本実施例の無線中継装置１１は、領域識別情報の変更を検出しても、使用チャネルが同一事業者のものである場合、無線中継サービスを停止することなく、無線中継装置１２の設置場所が移動したかを判定する。具体的には、無線中継装置１２は、領域識別情報２２２が変更されたことを契機に、近距離通信用無線部１１６を経由して携帯端末１２から現在の位置情報を取得する。無線中継装置１２は、携帯端末１２から取得した位置情報と、記憶部１１４で保持している位置情報とを比較する。位置情報が一致している（すなわち、所定の誤差範囲以内である）場合、設置場所の変更を伴わない無線環境の変化であると判定し、記憶部１１４の領域識別情報２２２を更新する。
【００４０】
一方、位置情報が異なる場合（２３３）、図２（Ｃ）に示すように、ユーザによって無線中継装置１１の設置場所が変更されたと判定し、無線中継サービスを停止し、近距離通信用無線部１１６を経由して携帯端末１２にアラームを送信する。なお、前述した従来の中継装置は、領域識別情報だけで無線中継装置の移動を判定しているので、設置場所が変更されていなくても、領域識別情報（すなわち、近隣の基地局の構成）が変わっただけで、無線中継サービスを中止する。
【００４１】
図３は、本実施例の携帯端末１２と無線中継装置１１との間の位置情報の送受信を示すシーケンス図である。
【００４２】
携帯端末１２は、ＧＰＳ衛星からのＧＰＳ信号３０を受信すると、受信したＧＰＳ信号３０から生成した位置情報を記憶部１２４に格納する（３１）。
【００４３】
一方、無線中継装置１１は、電源ＯＮ時、リセット時及び基地局空送信される領域識別情報が変更された場合に、近距離通信用無線部１１６を経由して携帯端末１２に位置情報要求メッセージ３２を送信する。
【００４４】
携帯端末１２は、位置情報要求メッセージ３２を受信すると、近距離通信用無線部１２８を経由して無線中継装置１１に位置情報メッセージ３３を送信する。
【００４５】
無線中継装置１１は、受信した位置情報メッセージ３３に含まれる位置情報を記憶部１１４に格納し、無線中継サービスを開始する。
【００４６】
その後、無線中継装置１１の電源がＯＦＦになった後（３５）、電源がＯＮされた場合、無線中継装置１１は、携帯端末１２に位置情報要求メッセージ３６を送信する。
【００４７】
携帯端末１２は、位置情報要求メッセージ３６を受信すると、受信したＧＰＳ信号３１から生成し記憶部１２４に保持された（３１）位置情報を、位置情報メッセージ３３として無線中継装置１１に送信する。
【００４８】
無線中継装置１１は、携帯端末１２から受信した位置情報と記憶部１１４に保持された位置情報とを比較する（３７）。その結果、位置情報が変更されていない場合、サービスを開始する。一方、位置情報が変更されている場合、無線中継装置１１の位置が移動していると判定して、無線中継サービスを停止して（例えば、基地局向け無線部１１１及び端末向け無線部１１８からの電波の送信を停止して）、携帯端末１２にアラームを送信する。この、位置情報が変更されているかは、二つの位置情報の経度及び緯度を比較し、両者の距離が所定値以上である場合、無線中継装置１１の位置が移動していると判定する。
【００４９】
また、無線中継装置１１は、携帯端末１２から収集した位置情報を、基地局１４を介してセンタの制御装置１５に送信する。制御装置１５は、無線中継装置１１から位置情報を収集することによって、無線中継装置１１の位置を管理することができる。
【００５０】
図４は、本実施例の無線中継装置１１の制御部１１５が実行する処理のフローチャートである。
【００５１】
制御部１１５は、無線中継装置１１が設置され、電源が投入されると（又は、リセット操作がされると）、初期動作を開始する（Ｓ１０１）。
【００５２】
まず、制御部１１５は、基地局から領域識別情報を受信する。また、制御部１１５は、近距離通信用無線部１１６を経由して携帯端末１２に位置情報要求メッセージを送信し、その返信である位置情報メッセージを受信する（Ｓ１０２）。
【００５３】
その後、制御部１１５は、基地局から受信した領域識別情報と記憶部１１４に格納されている領域識別情報とを比較する（Ｓ１０３）。
【００５４】
その結果、基地局から受信した領域識別情報と記憶部１１４に格納されている領域識別情報とが同じであれば（Ｓ１０３でＮＯ）、制御部１１５は、基地局から受信した領域識別情報及び携帯端末１２から受信した位置情報を記憶部１１４に格納する（Ｓ１０７）。その後、無線中継サービスを開始し、運用状態を維持する（Ｓ１０８）。
【００５５】
一方、基地局から受信した領域識別情報と記憶部１１４に格納されている領域識別情報とが異なっていれば（Ｓ１０３でＹＥＳ）、近距離通信用無線部１１６を経由して携帯端末１２に位置情報要求メッセージを送信し、その返信である位置情報メッセージを受信し、受信した位置情報メッセージに含まれる位置情報と記憶部１１４に格納されている位置情報とを比較する（Ｓ１０４）。
【００５６】
その結果、端末から受信した位置情報と記憶部１１４に格納されている位置情報とが一致していれば（Ｓ１０４でＮＯ）、制御部１１５は、基地局から受信した領域識別情報及び携帯端末１２から受信した位置情報を記憶部１１４に格納する（Ｓ１０７）。その後、無線中継サービスを開始し、運用状態を維持する（Ｓ１０８）。位置情報が一致しているかは、二つの位置情報の差が所定の誤差範囲内であれば、両者は一致していると判定することができる。
【００５７】
一方、端末から受信した位置情報と記憶部１１４に格納されている位置情報とが異なっていれば（Ｓ１０４でＹＥＳ）、近距離通信用無線部１１６を経由して携帯端末１２にアラームを送信し（Ｓ１０５）、基地局向け無線部１１１及び端末向け無線部１１８からの電波の送信を止め、サービスを停止する（Ｓ１０６）。サービスの停止には、具体的に、基地局向け無線部１１１及び端末向け無線部１１８の停止、制御プロセスの停止などがある。
【００５８】
その後、ユーザは、携帯端末を確認し、アラームで指示された処置をする。
【００５９】
また、無線中継装置１１の運用中に、領域識別情報の変更が検出された場合（Ｓ１０９）、制御部１１５は、近距離通信用無線部１１６を経由して携帯端末１２に位置情報要求メッセージを送信し、その返信である位置情報メッセージを受信する（Ｓ１１０）。その後、ステップＳ１０４において、端末から受信した位置情報と記憶部１１４に格納されている位置情報とを比較する。以後の動作は、前述したものと同じである。
【００６０】
図４に図示した処理では、初期動作において、領域識別情報の変更の有無を判定したが（Ｓ１０３）、領域識別情報の変更の有無を判定せず、位置情報の変更の有無のみを判定してもよい（Ｓ１０４）。位置情報の変更の有無のみで、無線中継装置１１の動作を制御することによって、電源ＯＦＦを伴わない設置場所の移動や、同じエリア内（領域識別情報が変更されない）の設置場所の移動を検出することができる。
【００６１】
図５は、本実施例の無線中継装置１１が携帯端末１２に送信するアラームの例を説明する図である。
【００６２】
前述したように無線中継装置１１は、位置が変更されていると判定した場合、携帯端末１２に対するサービスを停止し、携帯端末１２にアラームを送信する（図３のステップ３７）。アラームは、アラーム名、アラームの詳細内容、問い合わせ先を含む。携帯端末１２は、受信したアラームの内容を表示部１２７に表示して、無線中継装置１１のサービスが停止したことをユーザに報知する。また、送信者に無線中継装置１１を特定できる情報（例えば、シリアル番号）を含んでもよい。
【００６３】
このアラームを受信したユーザは、問い合わせ先にアクセス（例えば電話や電子メール）することによって、無線中継装置１１を再動作させる方法を知ることができる。
【００６４】
なお、アラームは、図示したような具体的指示を含むものでなく、単に、携帯端末１２のランプを点灯させるものでもよい。
【００６５】
以上に説明したように、本発明の実施例では、無線中継装置１１の初期動作において、領域識別情報及び位置情報の変更の有無を判定する。そして、領域識別情報及び位置情報の両方が変更された場合に、動作を停止するので、遠隔監視システムでサポートされていない無線中継装置でも、一般ユーザによる設置個所の無許可の移動を防ぐことができる。このため、電波環境の変動による不要な中継機能の停止を避け、ユーザによる設置場所の変更による違法な運用を制限することができる。このため、無線事業者の管理パフォーマンスを向上させることができる。
【００６６】
また、携帯端末１２は、無線中継装置１１からの要求に従って位置情報を送信するので、携帯端末１２の消費電力の増加を抑制することができる。
【００６７】
また、無線中継装置１１は、初期動作時又は領域識別情報の変更を検出した場合に、携帯端末１２に位置情報を要求するので、無線中継装置１１と携帯端末１２との間のトラフィックの増大を抑制し、携帯端末１２の消費電力の増加を抑制することができる。
【００６８】
また、無線中継装置１１と携帯端末１２との間は近距離無線で接続するので、無線中継装置１１が動作を停止した後も携帯端末１２と通信することができる。
【００６９】
また、無線中継装置１１は、携帯端末１２から位置情報を取得するので、位置情報を取得するための無線システム（例えば、ＧＰＳ受信機）を実装する必要がない。
【００７０】
また、無線中継装置１１が動作を停止する場合、携帯端末１２にアラームを送信するので、無縁中継装置１１に表示部を設けなくても、ユーザに無線中継装置１１の状態を報知することができる。
【００７１】
以上、本発明を添付の図面を参照して詳細に説明したが、本発明はこのような具体的構成に限定されるものではなく、添付した請求の範囲の趣旨内における様々な変更及び同等の構成を含むものである。
【符号の説明】
【００７２】
１１  無線中継装置
１２  携帯端末
１１１、１１６、１１８  無線部
１１２、１１７、１１９  アンテナ
１１３  装置監視部
１１４  記憶部
１１５  制御部
１２１  ＧＰＳ受信部
１２２、１２８  無線部
１２３、１２９  送受信用アンテナ
１２４  記憶部
１２５  操作部
１２６  制御部
１２７  表示部
【図１Ａ】
2014187595.tif 000003
【図１Ｂ】
2014187595.tif 000004
【図３】
2014187595.tif 000005
【図４】
2014187595.tif 000006
【図５】
2014187595.tif 000007
【図２】
2014187595.tif 000008